(57)【要約】【課題】取り扱いに便利なパター、アプローチの練習用ターゲットを提供すること。【解決手段】アプローチの練習用ターゲット１０は、円環状の弾性変形可能な紐状部材１２を含んで構成されている。紐状部材１２は、弾性材からなり、このような弾性材として、例えば、ゴムや、弾性を有する合成樹脂など、従来公知の様々な材料が使用可能である。また、日除けとして用いられるレフ板の枠フレームに使用されるスチールワイヤなどの金属製の部材も紐状部材１２として使用可能である。円環状となった紐状部材１２の内径は、グリーン上のカップと同一の内径である１０８ｍｍである。紐状部材１２は、その長手方向の全長にわたって均一の断面形状で形成されている。紐状部材１２はその全周にわたりゴルフボールが該紐状部材１２を乗り越えることができる大きさ、形状で形成され、例えば、断面が直径２〜５ｍｍの円形とされている。【選択図】図１
0003155085.tif 000002
【実用新案登録請求の範囲】
【請求項１】
円環状の弾性変形可能な紐状部材を含んで構成され、
前記紐状部材の少なくとも長手方向の一部は、ゴルフボールが該紐状部材を乗り越えることができる大きさ、形状で形成されている、
パター、アプローチの練習用ターゲット。
【請求項２】
金属製で円環状の可撓可能な紐状部材を含んで構成され、
前記紐状部材の少なくとも長手方向の一部は、ゴルフボールが該紐状部材を乗り越えることができる大きさ、形状で形成されている、
パター、アプローチの練習用ターゲット。
【請求項３】
前記紐状部材は、その長手方向の全長にわたって均一の断面形状で形成されている、
請求項１または２記載のパター、アプローチの練習用ターゲット。
【請求項４】
前記紐状部材の一部は切断されており、互いに対向する切断部に切り離しおよび結合可能な脱着部が設けられている、
請求項１乃至３に何れか１項記載のパター、アプローチの練習用ターゲット。
【請求項５】
円環状となった前記紐状部材の内径は、１０８ｍｍである、
請求項１乃至４に何れか１項記載のパター、アプローチの練習用ターゲット。
【請求項６】
前記紐状部材は、断面が直径２〜５ｍｍの円形を呈している、
請求項１乃至５に何れか１項記載のパター、アプローチの練習用ターゲット。
【請求項７】
前記紐状部材の長手方向の残りの一部は、前記円環状の紐状部材の内側に入ったゴルフボールを前記紐状部材の内側に留める大きさ、形状で形成されている、
請求項１乃至６に何れか１項記載のパター、アプローチの練習用ターゲット。
【請求項８】
前記紐状部材の断面は、平坦な下面部と、外周部から内周部に至るにつれて次第に高さが大きくなる上面部と、前記下面部の内周部から直角に起立し前記上面部の内周部に接続する内周面とを含んで形成されている、
請求項１、３、４、５、６、７に何れか１項記載のパター、アプローチの練習用ターゲット。
【請求項９】
ケースと、
弾性変形可能な紐状部材と、
前記紐状部材を前記ケース内で巻回した状態で収容し前記ケース内から前記紐状部材の繰り出しと前記ケース内への巻き取りを可能とした繰り出し巻き取り機構とを備え、
前記紐状部材は前記ケースから繰り出されてその長手方向の先部が前記ケースに係合し円環状の形状に保持される、
パター、アプローチの練習用ターゲット。
【請求項１０】
ケースと、
金属製で可撓可能な紐状部材と、
前記紐状部材を前記ケース内で巻回した状態で収容し前記ケース内から前記紐状部材の繰り出しと前記ケース内への巻き取りを可能とした繰り出し巻き取り機構とを備え、
前記紐状部材は前記ケースから繰り出されてその長手方向の先部が前記ケースに係合し円環状の形状とされる、
パター、アプローチの練習用ターゲット。
【請求項１１】
弾性変形可能な紐状部材と、
前記紐状部材の長手方向の両端に設けられた切り離しおよび結合可能な脱着部と、
前記紐状部材を収容するケースとを備え、
前記脱着部が結合することで前記紐状部材は円環状の形状に保持される、
パター、アプローチの練習用ターゲット。
【請求項１２】
金属製で可撓可能な紐状部材と、
前記紐状部材の長手方向の両端に設けられた切り離しおよび結合可能な脱着部と、
前記紐状部材を収容するケースとを備え、
前記脱着部が結合することで前記紐状部材は円環状の形状とされる、
パター、アプローチの練習用ターゲット。
【考案の詳細な説明】
【技術分野】
【０００１】
本考案は、パターやアプローチの練習用ターゲットに関し、より詳細には、練習グリーン上で、あるいは、家庭のフロアや絨毯の上でパターやアプローチの練習をする際に用いられる練習用ターゲットに関する。
【背景技術】
【０００２】
この種の練習用ターゲットとして、ゴムや合成樹脂からなる板材を用いたものが提案されている（特許文献１、特許文献２）。
【先行技術文献】
【特許文献】
【０００３】
【特許文献１】実用新案登録第３１１６３９４号
【特許文献２】特開平９−７５４９５
【考案の概要】
【考案が解決しようとする課題】
【０００４】
従来の練習用ターゲットは板状を呈しているので、ポケットに入れにくく、ポケットに入ったとしてもポケット内で嵩張り、また、大きさの如何によってはポケットに入れることができない。そのため、従来の練習用ターゲットは、携帯時に、手で持って運ばなければならない。
したがって、従来の練習用ターゲットは、家庭のフロアや絨毯の上でパターやアプローチの練習をする際には、家庭内の収納された場所からフロアや絨毯の上に練習用ターゲットを持ち出せばよいので、特に問題を生じることがない。
しかしながら、ゴルフ場でラウンドする前に練習グリーン上でパターやアプローチの練習をする際には、練習用ターゲットをゴルフバックや、あるいは、手小荷物から取り出して、パターやタオル、ペットボトルなどと共に練習グリーンまで運ぶ必要がある。その場合に、上述の理由からパターやタオル、ペットボトルなどと共に手で持って運ばなければならず、取り扱いが極めて不便となる。
【０００５】
また、練習グリーン上でパターやアプローチの練習をした後の携帯時に、従来の練習用ターゲットは板状を呈しているので多くの水や泥、砂などが付着してしまい、他のものを濡らしたり、汚したりする不具合がある。
また、強風時には、風を受ける面積が大きく、風により吹き飛ばされ易い不具合がある。
本考案は前記事情に鑑み案出されたものであって、本考案の目的は、取り扱いに便利なパター、アプローチの練習用ターゲットを提供することにある。
【課題を解決するための手段】
【０００６】
前記目的を達成するため本考案のパター、アプローチの練習用ターゲットは、円環状の弾性変形可能な紐状部材を含んで構成され、前記紐状部材の少なくとも長手方向の一部は、ゴルフボールが該紐状部材を乗り越えることができる大きさ、形状で形成されている。
また、本考案のパター、アプローチの練習用ターゲットは、金属製で円環状の可撓可能な紐状部材を含んで構成され、前記紐状部材の少なくとも長手方向の一部は、ゴルフボールが該紐状部材を乗り越えることができる大きさ、形状で形成されている。
【考案の効果】
【０００７】
本考案では、練習用ターゲットを丸め込んで小さくでき、ポケットなどに簡単に入れることができる。
また、練習用ターゲットはリング状の形状であり体積が小さいので、水や泥、砂などが付着するとしても少量となり、他のものを濡らしたり、汚したりする不具合を最小限に抑えることができる。
また、強風時であっても、風を受ける面積が小さく、風により吹き飛ばされにくい。
【図面の簡単な説明】
【０００８】
【図１】（Ａ）は第１の実施の形態に係るパター、アプローチの練習用ターゲットの平面図、（Ｂ）は（Ａ）のＢＢ断面図である。
【図２】（Ａ）は第２の実施の形態に係るパター、アプローチの練習用ターゲットの平面図、（Ｂ）は脱着部において紐状部材を切り離した状態の平面図である。
【図３】（Ａ）は第２の実施の形態に係るパター、アプローチの練習用ターゲットの平面図、（Ｂ）は脱着部において紐状部材を切り離した状態の平面図である。
【図４】（Ａ）は第３の実施の形態に係るパター、アプローチの練習用ターゲットの平面図、（Ｂ）は（Ａ）のＢＢ断面図である。
【図５】（Ａ）は第４の実施の形態に係るパター、アプローチの練習用ターゲットの平面図、（Ｂ）は同断面正面図である。
【図６】第５の実施の形態に係るパター、アプローチの練習用ターゲットの説明図で、（Ａ）は紐状部材がケースに収容された状態の斜視図、（Ｂ）は紐状部材をケースから引き出した状態の平面図である。
【図７】第５の実施の形態に係るパター、アプローチの練習用ターゲットの説明図で、（Ａ）は紐状部材の全ての部分がケースから引き出された状態の斜視図、（Ｂ）は紐状部材が円環状となった状態の平面図である。
【図８】第６の実施の形態に係るパター、アプローチの練習用ターゲットの説明図で、（Ａ）は蓋部が揺動して開いた状態の斜視図、（Ｂ）は蓋部がスライドして開いた状態の斜視図である。
【図９】クリップを備えた第６の実施の形態に係るパター、アプローチの練習用ターゲットの斜視図である。
【考案を実施するための形態】
【０００９】
以下、本考案の実施の形態について図面を参照して説明する。
まず、第１の実施の形態から説明する。
第１の実施の形態のパター、アプローチの練習用ターゲット１０は、図１に示すように、円環状の弾性変形可能な紐状部材１２を含んで構成されている。
紐状部材１２は、弾性材からなり、このような弾性材として、例えば、ゴムや、弾性を有する合成樹脂など、従来公知の様々な材料が使用可能である。また、車のフロントガラスなどの日除けとして用いられるレフ板の枠フレームに使用されるスチールワイヤなどの金属製の部材も紐状部材１２として使用可能である。
円環状となった紐状部材１２の内径は、実際のグリーン上のカップと同一の内径である１０８ｍｍである。
紐状部材１２は、その長手方向の全長にわたって均一の断面形状で形成され、意匠性が高められており、本実施の形態では、断面は円形である。
紐状部材１２に任意の色彩を着色し、意匠性をより高めるなど任意である。
紐状部材１２はその全周にわたりゴルフボールが該紐状部材１２を乗り越えることができる大きさ、形状で形成されている。本実施の形態では、断面が直径２〜５ｍｍの円形とされている。
より詳細には、ゴルフボールの直径は４２．６７ｍｍ〜４４ｍｍ程度であり、したがって、紐状部材１２の断面を、ゴルフボールの直径の１／８以下にすると（断面が円形の場合にはその直径を２〜５ｍｍにすると）、例えば、カップを１ｍ程度オーバーする速度のゴルフボールが乗り越え易い。このように紐状部材１２の断面を、ゴルフボールが乗り越えることができる大きさで形成したのは、カップに届かないゴルフボールはカップに入らないことから、カップをオーバーする強さでボールを転がす練習をできるようにするためである。
【００１０】
本実施の形態によれば、練習用ターゲット１０を丸め込んで小さくでき、ポケットなどに簡単に入れることができる。
したがって、ゴルフ場でラウンドする前に練習グリーン上でパターやアプローチの練習をする際に、練習用ターゲット１０をポケットなどに入れて持ち運ぶことができ、取り扱いが極めて便利となる。
また、紐状部材１２が弾性材から形成されているので、ポケットから出して練習グリーン上に置くことで円環状となり、取り扱いがより一層便利となる。
また、丸め込んで小さくできることから、複数の練習用ターゲット１０を簡単に持ち運ぶことができ、練習グリーン上の間隔をおいた複数箇所にそれら練習用ターゲット１０を置くことで、パターやアプローチの練習を効率良く行なう上で有利となる。
【００１１】
また、練習用ターゲット１０は円環状であり、リング状の形状であることから、体積も小さく、水や泥、砂などが付着するとしても少量となり、他のものを濡らしたり、汚したりする不具合を最小限に抑えることができる。
また、強風時であっても、風を受ける面積が小さく、風により吹き飛ばされにくい。
なお、第１の実施の形態において、紐状部材１２を、金属製で円環状の可撓可能な弾性を有していない紐状部材１２で構成してもよく、この場合には、ポケットから出して練習グリーン上に置く際に円環状にかたちどる必要があるものの、他の効果は、弾性材からなる紐状部材１２の場合と同様である。このような金属製で可撓可能な紐状部材１２としては、従来公知の様々な構造のものが採用可能である。
【００１２】
次に、第２の実施の形態について説明する。
第２の実施の形態のパター、アプローチの練習用ターゲット１０は、図２、図３に示すように、第１の実施の形態の紐状部材１２に、脱着部１４を設けたものである。
すなわち、紐状部材１２の一部は切断されており、脱着部１４は、互いに対向する切断部に切り離しおよび結合可能に設けられている、
脱着部１４は、図２に示すように、互いに対向する切断部に取り付けた互いに吸着する磁石１６で構成してもよい。
あるいは、図３に示すように、一方の切断部に取り付けた雄ねじ部材１８と、他方の切断部に紐状部材１２の長手方向に移動不能で、かつ、回転可能に取り付けられ雄ねじ部材に螺合する雌ねじを有する筒状のナット部材２０とで構成してもよい。
なお、このような脱着部１４の構成には、従来公知の様々な構造が採用可能である。
第２の実施の形態の練習用ターゲット１０によれば、第１の実施の形態に加え、衣服やゴルフバックなどの種々の箇所に吊り下げることができ、取り扱い性を向上する上で有利となる。
なお、第２の実施の形態においても、紐状部材１２を、金属製で円環状の可撓可能な弾性を有していない紐状部材１２で構成してもよく、このような金属製で可撓可能な紐状部材１２としては、従来公知の様々な構造のものが採用可能である。
【００１３】
次に、第３の実施の形態について説明する。
第３の実施の形態のパター、アプローチの練習用ターゲット１０は、図４に示すように、第１の実施の形態の紐状部材１２の長手方向の一部を、円環状の紐状部材１２の内側に入ったゴルフボールを紐状部材１２の内側に留める大きさ、形状で形成したものである。
第３の実施の形態の練習用ターゲット１０では、紐状部材１２の長手方向のほぼ半部（円環の半部）１２Ａが、ゴルフボールが該紐状部材１２を乗り越えることができる大きさ、形状で形成され、例えば、断面が直径２〜５ｍｍの円形とされている。また、紐状部材１２の長手方向の残りの半部（円環の残りの半部）１２Ｂが、円環状の紐状部材１２の内側に入ったゴルフボールを紐状部材１２の内側に留める大きさ、形状で形成され、例えば、断面が直径６〜１０ｍｍの円形とされている。
【００１４】
このように紐状部材１２の断面形状を長手方向の半部毎に異ならせることで、練習用ターゲット１０の内側に入ったゴルフボールを練習用ターゲット１０内に留めることができ、例えば、３つのゴルフボールを転がして幾つのゴルフボールがカップに入ったかなどを視覚的に判断でき、練習に面白さをもたせることが可能となる。
なお、第３の実施の形態においも、紐状部材１２を、金属製で円環状の可撓可能な弾性を有していない紐状部材１２で構成してもよく、このような金属製で可撓可能な紐状部材１２としては、従来公知の様々な構造のものが採用可能である。
【００１５】
次に、第４の実施の形態について説明する。
第４の実施の形態のパター、アプローチの練習用ターゲット１０は、図５に示すように、紐状部材１２の断面形状が第１の実施の形態と異なっている。
すなわち、紐状部材１２の断面は、平坦な下面部１２０２と、外周部から内周部に至るにつれて次第に高さが大きくなる上面部１２０４と、下面部１２０２の内周部から直角に起立し上面部１２０４の内周部に接続する内周面１２０６とを含んで形成されている。
上面部１２０４は、凹状の湾曲面で形成されている。
第４の実施の形態では、紐状部材１２の断面形状をこのようにすることで、ゴルフボールを練習用ターゲット１０の内側に入り易く、また、練習用ターゲット１０に入ったゴルフボールを外側に出にくくしている。
したがって、第３の実施の形態と同様に、例えば、３つのゴルフボールを転がして幾つのゴルフボールがカップに入ったかなどを視覚的に判断でき、練習に面白さをもたせることが可能となる。
【００１６】
次に、第５の実施の形態について説明する。
第５の実施の形態のパター、アプローチの練習用ターゲット１０は、図６〜図７に示すように、ケース２２と、紐状部材１２と、繰り出し巻き取り機構（不図示）とを含んで構成されている。
ケース２２は、紐状部材１２を収容するもので、紐状部材１２を収容した状態で、マーカーとして使用可能である。
紐状部材１２は、第１の実施の形態と同様に弾性材からなり、長手方向の全長にわたって均一の断面形状で形成され、本実施の形態では、断面は円形である。
繰り出し巻き取り機構は、紐状部材１２をケース２２内で巻回した状態で収容し、ケース２２内から紐状部材１２の繰り出しとケース２２内への巻き取りが行なわれるように構成されている。
本実施の形態では、指によってケース２２内から紐状部材１２の繰り出し（引き出し）が行なわれ、また、操作ボタン２４を押すことで紐状部材１２のケース２２内への巻き取りが行なわれる。
このような繰り出し巻き取り機構として、従来公知の様々な構造が採用可能である。
紐状部材１２はケース２２から繰り出され、その長手方向の先部の係合部１２１０が、ケース２２の係合部２２１０に係合し、円環状の形状に保持される。なお、紐状部材１２が円環状の形状に保持された状態で、ケース２２はこの円環状の形状の内側に位置している。
【００１７】
第５の実施の形態によれば、紐状部材１２をケース２２に収容することで小型化されるので、ポケットなどに簡単に入れることができ、取り扱いが極めて便利となる。
また、ケース２２はマーカーとしても使用できるので、パター、アプローチの練習用ターゲット１０の実用的価値および商品価値を高める上でも有利となる。
また、ケース２２の背面に、図９に示すように、クリップ２６を設けると、ベルトなどに掛止でき、持ち運びがより便利となる。
なお、第５の実施の形態においも、紐状部材１２を、金属製で円環状の可撓可能な弾性を有していない紐状部材１２で構成してもよく、このような金属製で可撓可能な紐状部材１２としては、従来公知の様々な構造のものが採用可能である。
【００１８】
次に、第６の実施の形態について説明する。
第６の実施の形態のパター、アプローチの練習用ターゲット１０は、第２の実施の形態に、紐状部材１２を収容するケース２８を加えたものである。
ケース２８は、収容空間を有する扁平な円筒状の本体部２８０２と、本体部２８０２の収容空間を開閉する蓋部２８０４とで構成されている。蓋部２８０４は、図８（Ａ）に示すように揺動可能に、あるいは、図８（Ｂ）に示すようにスライド可能に本体部２８０２に結合され、本体部２８０２の開口を開閉する。
ケース２２は、マーカーとして使用可能であり、ケース２２の背面に、図９に示すように、当て板部２６０２と掛止具２６０４とからなるクリップ２６を設けると、ベルトなどに掛止でき、持ち運びがより便利となる。
第６の実施の形態によれば、第５の実施の形態と同様な効果が奏される。
なお、第６の実施の形態においも、紐状部材１２を、金属製で円環状の可撓可能な弾性を有していない紐状部材１２で構成してもよく、このような金属製で可撓可能な紐状部材１２としては、従来公知の様々な構造のものが採用可能である。
【００１９】
なお、紐状部材１２に、従来公知の各種イオン化合物などを含有させることにより、抗菌、脱臭、温熱、リラックスなどの効果が期待できる。
また、紐状部材１２に、磁石やゲルマニウム、チタンなどの固形物を含有させることにより、血行促進作用を発揮する健康グッズとしても使用可能となる。
【符号の説明】
【００２０】
１０……練習用ターゲット、１２……紐状部材、１４……脱着部、２２、２８……ケース。
【図１】
0003155085.tif 000003
【図２】
0003155085.tif 000004
【図３】
0003155085.tif 000005
【図４】
0003155085.tif 000006
【図５】
0003155085.tif 000007
【図６】
0003155085.tif 000008
【図７】
0003155085.tif 000009
【図８】
0003155085.tif 000010
【図９】
0003155085.tif 000011